(57)【要約】      （修正有）【課題】人々に新たな居場所を提供し、住宅モジュールが接合される前及び住んでいる間にレイアウトを随時変更することができ、住環境に対する多様な要求を満たすことができる海上人間居住システムを提供する。【解決手段】海上人間居住システムは、海面に浮かぶ甲板と、位置決め板と、住宅と、固定台とを備え、位置決め板は、上下移動可能に甲板と固定台との間に取り付けられ、住宅３は、少なくとも２つのモジュールを備え、モジュールの少なくとも一側面に突起及び／又は凹溝３１１１が設けられ、隣接するモジュールにも凹溝及び／又は突起が設けられ、突起は、凹溝と嵌合することができ、住宅の最下方に位置するモジュールの底部は、着脱可能に甲板に接続されている。【選択図】図４
0003218435.tif 000002
【実用新案登録請求の範囲】
【請求項１】
海面に浮かぶ甲板と、位置決め板と、前記甲板に取り付けられる住宅と、海岸又は海底に固定される固定台とを備え、
前記位置決め板は、その一端が上下移動可能に前記甲板に取り付けられ、その他端が上下移動可能に前記固定台に取り付けられ、
前記住宅は、少なくとも２つのモジュールを備え、前記モジュールの少なくとも一側面に突起及び/又は凹溝が設けられ、対応に隣接する左右又は上下のモジュールに凹溝及び/又は突起が設けられ、
前記モジュールの突起は、隣接するモジュールの凹溝と嵌合することができ、前記住宅の最下方に位置するモジュールの底部は、着脱可能に前記甲板に接続されている
ことを特徴とする海上人間居住システム。
【請求項２】
前記モジュールの突起は、隣接するモジュールの凹溝に着脱可能に接続されていることを特徴とする請求項１に記載の海上人間居住システム。
【請求項３】
前記モジュールの突起の頂部及び/又は凹溝の底部には通路が開設され、対応に隣接するモジュールの凹溝の底部及び/又は突起の頂部には通路が開設され、隣接するモジュール同士は各自の通路を介して連通されていることを特徴とする請求項１に記載の海上人間居住システム。
【請求項４】
前記モジュールの突起の頂部及び/又は凹溝の底部には貫通孔が開設され、前記貫通孔には窓又はドアが嵌合されていることを特徴とする請求項１に記載の海上人間居住システム。
【請求項５】
前記モジュールには突起及び凹溝が設けられ、突起及び凹溝以外の前記モジュールの部分は密閉の壁により構成されていることを特徴とする請求項１に記載の海上人間居住システム。
【請求項６】
前記住宅は、ダイニングキッチンモジュールと、リビングモジュールと、ベッドルームモジュールとの３つのモジュールを備え、前記３つのモジュールは、各自の突起及び/又は凹溝によって隣接するモジュールと互いに嵌合することを特徴とする請求項１〜５のいずれか１つに記載の海上人間居住システム。
【請求項７】
前記モジュールの端部が、隣接するモジュールの端部に揃えられ又は揃えられないようにすることを特徴とする請求項１に記載の海上人間居住システム。
【請求項８】
前記モジュールの側面には、モジュール化植物壁がさらに設けられていることを特徴とする請求項１に記載の海上人間居住システム。
【請求項９】
前記住宅は、縦方向に設置される少なとも２つのフロアを備え、
フロアごとに水平方向に設置される少なくとも２つのモジュールを備え、
前記モジュールの左側面及び/又は右側面、底面及び/又は頂面には、いずれも突起及び/又は凹溝が設けられ、対応に左右及び上下に前記モジュールと隣接するモジュールの左側面及び/又は右側面、底面及び/又は頂面にいずれも凹溝及び/又は突起が設けられていることを特徴とする請求項１に記載の海上人間居住システム。
【請求項１０】
工場でモジュールの製造及び内装を仕上げる工程Ａと、
各モジュールの接合方式を設計する工程Ｂと、
モジュールを工事現場に搬送する工程Ｃと、
海岸又は海底に固定台を建設し、海面に甲板を敷設し、位置決め板で甲板を固定台に取り付ける工程Ｄと、
接合方式に基づいて、甲板において、モジュール同士を各自の突起及び凹溝の互いの嵌合によって接合するとともに、住宅の最下方に位置するモジュールの底部を着脱可能に甲板に接続することによって、前記海上人間居住システムの建設を完成させる工程Ｅと、を含む
ことを特徴とする海上人間居住システムの建設方法。
【考案の詳細な説明】
【技術分野】
【０００１】
本考案は、建設工事の技術分野に属し、特に海上人間居住システム及びその建設方法に関する。
【背景技術】
【０００２】
現在、陸上の土地資源がますます不足しているため、住宅が密集になり、採光が不足し、風通しが悪くなるので、住環境がますます悪化している。これに対して、生活水準の向上に伴って、住環境に対する要求が上昇している。一部の海岸都市は、土地面積を拡大させるために、海面埋め立て工事に大きな力を入れた。
【０００３】
内陸の住環境と比べて、海岸では、空気が爽やか、景色が綺麗、視野がよいので、人々は海岸又は海上を居場所とする生活に憧れている。
【０００４】
我が国の海岸線が長く、人口が多い。特に、一部の先進海岸都市の住環境の悪化が著しくなった。このため、海上人間居住システムの開発は、都市の住環境の悪化の緩和及び海上居住環境の求めにとって大きな意味を持っている。
【考案の概要】
【考案が解決しようとする課題】
【０００５】
本考案は、現在の陸上の土地資源が不足し、住環境がますます悪化している問題を解決できる海上人間居住システム及びその建設方法を提供することを課題とする。
【課題を解決するための手段】
【０００６】
本考案は、以下のように実現される。海上人間居住システムは、海面に浮かぶ甲板と、位置決め板と、前記甲板に取り付けられる住宅と、海岸又は海底に固定される固定台とを備え、前記位置決め板は、その一端が上下移動可能に前記甲板に取り付けられ、その他端が上下移動可能に前記固定台に取り付けられ、前記住宅は、少なくとも２つのモジュールを備え、前記モジュールの少なくとも一側面に突起及び/又は凹溝が設けられ、対応に隣接する左右又は上下のモジュールに凹溝及び/又は突起が設けられ、前記モジュールの突起は、隣接するモジュールの凹溝と嵌合することができ、前記住宅の最下方に位置するモジュールの底部は、着脱可能に前記甲板に接続されている。
【０００７】
さらに、前記モジュールの突起は、隣接するモジュールの凹溝に着脱可能に接続されている。
【０００８】
さらに、前記モジュールの突起の頂部及び/又は凹溝の底部には通路が開設され、対応に隣接するモジュールの凹溝の底部及び/又は突起の頂部には通路が開設され、隣接するモジュール同士は各自の通路を介して連通されている。
【０００９】
さらに、前記モジュールの突起の頂部及び/又は凹溝の底部には貫通孔が開設され、前記貫通孔には窓又はドアが嵌合されている。
【００１０】
さらに、前記モジュールには突起及び凹溝が設けられ、突起及び凹溝以外の前記モジュールの部分は密閉の壁により構成されている。
【００１１】
さらに、前記住宅は、ダイニングキッチンモジュールと、リビングモジュールと、ベッドルームモジュールとの３つのモジュールを備え、前記３つのモジュールは、各自の突起及び/又は凹溝によって隣接するモジュールと互いに嵌合する。
【００１２】
さらに、前記モジュールの端部が、隣接するモジュールの端部に揃えられ又は揃えられないようにする。
【００１３】
さらに、前記モジュールの側面には、さらにモジュール化植物壁が設けられている。
【００１４】
さらに、前記住宅は、縦方向に設置される少なくとも２つのフロアを備え、フロアごとに水平方向に設置される少なくとも２つのモジュールを備え、前記モジュールの左側面及び/又は右側面、底面及び/又は頂面にいずれも突起及び/又は凹溝が設けられ、対応に左右及び上下に前記モジュールと隣接するモジュールの左側面及び/又は右側面、底面及び/又は頂面にいずれも凹溝及び/又は突起が設けられている。
【００１５】
上記の技術問題を解決するために、本考案は、さらに上記海上人間居住システムの建設方法を提供する。該建設方法は、
工場でモジュールの製造及び内装を仕上げる工程Ａと、
各モジュールの接合方式を設定する工程Ｂと、
モジュールを工事現場に搬送する工程Ｃと、
海岸又は海底に固定台を建設し、海面に甲板を敷設し、位置決め板で甲板を固定台に取り付ける工程Ｄと、
接合方式に基づいて、甲板において、モジュール同士を各自の突起及び凹溝の互いの嵌合によって接合するとともに、住宅の最下方に位置するモジュールの底部を着脱可能に甲板に接続することによって、前記海上人間居住システムの建設を完成させる工程Ｅとを含む。
【考案の効果】
【００１６】
本考案は、従来技術と比べて、以下の有益な効果を有する。本考案の海上人間居住システムは、海面に建設され土地を占有しないので、人々に新たな居場所を提供した。また、海面埋め立て工事が必要なく、手数がかからない。また、本考案のモジュール同士の接合は、突起と凹溝との嵌合によって実現されるので、工事が簡単、迅速になるとともに、ユーザの要求に従って住宅を設計することができる。さらに、モジュール同士は固定接続されていないので、住宅が接合される前及び住んでいる間に、住宅のレイアウトを随時変更することができる。このため、住環境に対する多様な要求を満たすことができる。
【図面の簡単な説明】
【００１７】
【図１】本考案の実施例による海上人間居住システムの平面模式図である。
【図２】本考案の実施例による３つのモジュールが接合される前の斜視構成模式図である。
【図３】図２における３つのモジュールが接合された後の斜視構成模式図である。
【図４】本考案の実施例によるモジュールを接合してなる３つのフロアを有する住宅の斜視構成模式図である。
【図５】本考案の実施例による住宅のモジュールをずらして接合するときの複数の接合方式の模式図である。
【図６】本考案の実施例による住宅が中心モジュールから展開するときの複数の接合方式の模式図である。
【図７】本考案の実施例による住宅が水平方向及び縦方向に沿って展開するときの複数の接合方式の模式図である。
【考案を実施するための形態】
【００１８】
以下、本考案が解決する技術問題、技術案及び有益な効果をより明瞭にするために、図面及び実施例を参照しながら、本考案をより詳しく説明する。以下に説明する具体的な実施例は本考案を解釈するためのものに過ぎず、本考案を限定するものではないと理解すべきである。
【００１９】
図１〜図４に示す実施例は、本考案の好ましい一実施例である。海上人間居住システムは、海面に浮かぶ甲板１と、位置決め板２と、甲板１に取り付けられる住宅３と、海岸又は海底に固定される固定台４とを備えている。位置決め板２は、その一端が上下移動可能に甲板１に取り付けられ、その他端が上下移動可能に固定台４に取り付けられている。このため、満潮又は退潮のとき、甲板１が上下揺動することができる。
【００２０】
上記住宅３は、３つのフロア３１を有している。住宅３の最下方に位置するフロア３１は、ダイニングキッチンモジュール３１１ａと、リビングモジュール３１１ｂと、ベッドルームモジュール３１１ｃとの３つのモジュール３１１を有し、リビングモジュール３１１ｂがダイニングキッチンモジュール３１１ａとベッドルームモジュール３１１ｃとの間に位置するようになる。リビングモジュール３１１ｂの一端部が、ダイニングキッチンモジュール３１１ａの一端部に揃えられ、ベッドルームモジュール３１１ｃ一端部に揃えられないように構成されている。また、リビングモジュール３１１ｂの他端部が、ダイニングキッチンモジュール３１１ａの他端部に揃えられず、ベッドルームモジュール３１１ｃの他端部に揃えられるようにする構成されている。それによって、リビングモジュール３１１ｂとダイニングキッチンモジュール３１１ａとベッドルームモジュール３１１ｃとがずらされるように構成されているので、住宅３を共用エリアとプライバシエリアに区画できるようになる。甲板１に対する住宅３の摺動を防止するために、該フロア３１の３つのモジュール３１１の底部は、ボルト等で着脱可能に甲板１に接続されている。
【００２１】
上記ダイニングキッチンモジュール３１１ａ及びベッドルームモジュール３１１ｃの一側面には凹溝３１１１及び突起３１１２がそれぞれ設けられ、ダイニングキッチンモジュール３１１ａ及びベッドルームモジュール３１１ｃにおける凹溝３１１１及び突起３１１２に対応するリビングモジュール３１１ｂの両側面の位置に突起３１１２及び凹溝３１１１がそれぞれ設けられているので、リビングモジュール３１１ｂの両側の突起３１１２及び凹溝３１１１は、隣接するダイニングキッチンモジュール３１１ａ及びベッドルームモジュール３１１ｃの一側面における凹溝３１１１及び突起３１１２とそれぞれ嵌合することができる。また、上記３つのモジュール３１１の側面における突起３１１２の頂部及び凹溝３１１１の底部には、通路３１１３が開設され、隣接する２つのモジュール３１１は、両方の通路３１１３を介して連通されている。
【００２２】
３つのモジュール３１１の両端部には凹溝３１１１が設けられ、全ての凹溝３１１１の底部には貫通孔（図示せず）が設けられ、貫通孔には窓（図示せず）が嵌設されている。また、３つのモジュール３１１の突起３１１２の頂部に貫通孔（図示せず）を開設することもできる。無論、貫通孔が開設された凹溝３１１１又は突起３１１２は、モジュール３１１の端部に位置するものに限らず、側面における凹溝３１１１又は突起３１１２に貫通孔を開設して窓を嵌設してもよい。
【００２３】
上記３つのモジュール３１１が同一フロア３１、同一水平面に位置するので、上記モジュール３１１が、隣接する左右のモジュール３１１のみと接合する。住宅３の上下２つのフロア３１を接合する場合、隣接する上下２つのモジュール３１１に突起３１１２及び凹溝３１１１をそれぞれ設ける必要がある。このため、本実施例における第1フロア３１の３つのモジュール３１１の頂面（即ちモジュール３１１の上側面）には、頂部に通路３１１３が開設された突起３１１２が設けられている。第２フロア３１の３つのモジュール３１１の底面（即ちモジュール３１１の下側面）には、第１フロア３１の突起３１１２と嵌合し通路３１１３が開設された凹溝３１１１が設けられている。それによって、上下２つのフロア３１を連通させる。最上方に位置するフロア３１のモジュール３１１の頂面における突起３１１２又は凹溝３１１１には、通路３１１３又は貫通孔が開設されなくてもよいし、窓３１１４又はドア３１１５を嵌合させるための貫通孔を開設してもよい。その他、モジュール３１１の密閉性及び構成強度を保つために、突起３１１２及び凹溝３１１１以外の住宅３内のモジュール３１１の部分は密閉の壁により構成されている。
【００２４】
上記ベッドルームモジュール３１１ｃの外側面には、さらにモジュール化植物壁（図示せず）が設けられている。該モジュール化植物壁により、断熱の役割を果たし、日差しによるベッドルームモジュール３１１ｃの温度への影響を低減できるとともに、景観とすることができる。
【００２５】
本実施例の海上人間居住システムの建設工程は、以下のようになる。
【００２６】
Ａ、工場でモジュール３１１の製造及び内装を仕上げる。
【００２７】
Ｂ、各モジュール３１１の接合方式を設計する。
【００２８】
Ｃ、モジュール３１１を工事現場に搬送する。
【００２９】
Ｄ、海岸又は海底に固定台４を建設し、海面に甲板１を敷設し、位置決め板２で甲板１を固定台４に取り付ける。
【００３０】
Ｅ、接合方式に基づいて、甲板１において、第１フロア３１のモジュール３１１同士を各自の突起３１１２及び凹溝３１１１の互いの嵌合によって接合するとともに、該フロア３１に位置するモジュール３１１の底部を着脱可能に甲板１に接続することによって、第１フロア３１の建設を完成させる。
【００３１】
Ｆ、第２フロア３１の全てのモジュール３１１の接合が完成するまで、第２フロア３１のモジュール３１１を第１フロア３１のモジュール３１１に接合してから、該第２フロア３１のモジュール３１１を第２フロア３１のその他のモジュール３１１に接合する。
【００３２】
Ｇ、工程Ｆを繰り返して実行して、第３フロア３１の接合を仕上げる。
【００３３】
Ｈ、ベッドルームモジュール３１１ｃの外側面にモジュール化植物壁を嵌合させて、海上人間居住システムの建設を仕上げる。
【００３４】
本実施例の海上人間居住システムは、海面に建設され土地を占用しないので、人々に新たな居場所を提供した。また、海面埋め立て工事が必要なく、手数がかからない。また、本考案のモジュール３１１同士の接合は、突起３１１２と凹溝３１１１との嵌合によって実現されるので、工事が簡単、迅速になるとともに、ユーザの要求に従って住宅を設計することができる。さらに、モジュール３１１同士は固定接続されていないので、住宅３が接合される前及び住んでいる間に、住宅３のレイアウトを随時変更することができる。このため、住環境に対する多様な要求を満たすことができる。
【００３５】
本考案の住宅３は、複数の接合方式を利用することができる。図５は、上記説明と同様な同一フロア３１に用いられるモジュール３１１をずらして接合するときの複数の接合方式を例示した。また、図６は、同一フロア３１に用いられる中心モジュール３１１から展開するときの複数の接合方式を例示した。図７は、住宅３が水平方向及び縦方向に沿って展開するときの複数の接合方式を例示した。
【００３６】
以上の説明は、本考案の好ましい実施例に過ぎず、本考案を限定するものではない。本考案の主旨及び原則に基づいて行われた全ての変更、均等的置き換え及び改良等は、本考案の保護範囲内に属する。
【図１】
0003218435.tif 000003
【図２】
0003218435.tif 000004
【図３】
0003218435.tif 000005
【図４】
0003218435.tif 000006
【図５】
0003218435.tif 000007
【図６】
0003218435.tif 000008
【図７】
0003218435.tif 000009
【手続補正書】
【提出日】平成30年4月16日(2018.4.16)
【手続補正１】
【補正対象書類名】実用新案登録請求の範囲
【補正対象項目名】全文
【補正方法】変更
【補正の内容】
【実用新案登録請求の範囲】
【請求項１】
海面に浮かぶ甲板と、位置決め板と、前記甲板に取り付けられる住宅と、海岸又は海底に固定される固定台とを備え、
前記位置決め板は、その一端が上下移動可能に前記甲板に取り付けられ、その他端が上下移動可能に前記固定台に取り付けられ、
前記住宅は、少なくとも２つのモジュールを備え、前記モジュールの少なくとも一側面に突起及び/又は凹溝が設けられ、対応に隣接する左右又は上下のモジュールに凹溝及び/又は突起が設けられ、
前記モジュールの突起は、隣接するモジュールの凹溝と嵌合することができ、前記住宅の最下方に位置するモジュールの底部は、着脱可能に前記甲板に接続されている
ことを特徴とする海上人間居住システム。
【請求項２】
前記モジュールの突起は、隣接するモジュールの凹溝に着脱可能に接続されていることを特徴とする請求項１に記載の海上人間居住システム。
【請求項３】
前記モジュールの突起の頂部及び/又は凹溝の底部には通路が開設され、対応に隣接するモジュールの凹溝の底部及び/又は突起の頂部には通路が開設され、隣接するモジュール同士は各自の通路を介して連通されていることを特徴とする請求項１に記載の海上人間居住システム。
【請求項４】
前記モジュールの突起の頂部及び/又は凹溝の底部には貫通孔が開設され、前記貫通孔には窓又はドアが嵌合されていることを特徴とする請求項１に記載の海上人間居住システム。
【請求項５】
前記モジュールには突起及び凹溝が設けられ、突起及び凹溝以外の前記モジュールの部分は密閉の壁により構成されていることを特徴とする請求項１に記載の海上人間居住システム。
【請求項６】
前記住宅は、ダイニングキッチンモジュールと、リビングモジュールと、ベッドルームモジュールとの３つのモジュールを備え、前記３つのモジュールは、各自の突起及び/又は凹溝によって隣接するモジュールと互いに嵌合することを特徴とする請求項１〜５のいずれか１つに記載の海上人間居住システム。
【請求項７】
前記モジュールの端部が、隣接するモジュールの端部に揃えられ又は揃えられないようにすることを特徴とする請求項１に記載の海上人間居住システム。
【請求項８】
前記モジュールの側面には、モジュール化植物壁がさらに設けられていることを特徴とする請求項１に記載の海上人間居住システム。
【請求項９】
前記住宅は、縦方向に設置される少なとも２つのフロアを備え、
フロアごとに水平方向に設置される少なくとも２つのモジュールを備え、
前記モジュールの左側面及び/又は右側面、底面及び/又は頂面には、いずれも突起及び/又は凹溝が設けられ、対応に左右及び上下に前記モジュールと隣接するモジュールの左側面及び/又は右側面、底面及び/又は頂面にいずれも凹溝及び/又は突起が設けられていることを特徴とする請求項１に記載の海上人間居住システム。